(57)【特許請求の範囲】
【請求項１】
部屋の中の空気を吸い込む吸込口および前記空気を吹き出す吹出口を有する流路と、前記流路中に設けられて前記流路中に流れを発生させるインペラおよび該インペラを駆動させるモーターを有するファンと、該ファンのモーターを制御する制御手段と、前記モーターの異常を報知する異常報知手段とを備えて、前記部屋の中を空調する空調装置であって、
前記制御手段は、前記モーターの回転数が異常判定回転数以下であると前記モーターを停止させるモーター異常判定処理と、該モーター異常判定処理後に再度前記モーターを駆動させるリトライ処理と、該リトライ処理後に再度前記モーターの回転数が前記異常判定回転数以下であると前記モーターの異常を確定して前記モーターを停止させると共に前記異常報知手段により異常報知を行うモーター異常確定処理とを実行し、
前記リトライ処理時において、前記制御手段が前記モーターの回転数を前記空調装置の起動時の前記モーターの回転数より下げるモーター回転数減少処理を実行することを特徴とする空調装置。
【請求項２】
部屋の中の空気を吸い込む吸込口および前記空気を吹き出す吹出口を有する流路と、前記流路中に設けられて前記流路中に流れを発生させるインペラおよび該インペラを駆動させるモーターを有するファンと、該ファンのモーターを制御する制御手段と、前記モーターの異常を報知する異常報知手段とを備えて、前記部屋の中を空調する空調装置であって、
前記制御手段は、前記モーターの回転数が異常判定回転数以下であると前記モーターを停止させるモーター異常判定処理と、該モーター異常判定処理後に再度前記モーターを駆動させるリトライ処理と、該リトライ処理後に再度前記モーターの回転数が前記異常判定回転数以下であると前記モーターの異常を確定して前記モーターを停止させると共に前記異常報知手段により異常報知を行うモーター異常確定処理とを実行し、
前記制御手段が、前記空調装置の設置状態を判定する設置状態判定処理を備え、
該設置状態判定処理中に前記モーター異常確定処理が禁止されることを特徴とする空調装置。
【請求項３】
さらに、前記空調装置の主電源が遮断された場合でも前記モーターの状態を保持するモーター異常状態記憶手段を備え、
前記制御手段は、前記モーター異常確定処理によって前記モーターの異常が確定したことを前記モーター異常状態記憶手段に記録するモーター異常記憶処理を実行することを特徴とする請求項１または請求項２に記載された空調装置。
【請求項４】
前記制御手段が、前記空調装置の設置状態を判定する設置状態判定処理を備え、
該設置状態判定処理中に前記モーター異常確定処理が禁止されることを特徴とする請求項１または請求項３に記載された空調装置。
【請求項５】
前記流路の吹出口が、前記部屋に向けて開口されていることを特徴とする請求項１乃至請求項４のいずれか１項に記載された空調装置。
【請求項６】
前記部屋の中から吸い込まれた前記空気を暖める空気加熱手段をさらに備え、
前記制御手段が前記モーターの異常を判定した場合に、前記制御手段が空気加熱手段への通電を停止する空気加熱手段通電停止処理を実行することを特徴とする請求項１乃至請求項５のいずれか１項に記載された空調装置。
【請求項７】
前記流路の吹出口が、前記部屋の外に向けて開口されていることを特徴とする請求項１乃至請求項４のいずれか１項に記載された空調装置。
【発明の詳細な説明】
【技術分野】
【０００１】
本発明は、浴室やトイレ等のサニタリー空間を空調する空調装置に関する。
【背景技術】
【０００２】
従来、浴室やトイレ等のサニタリー空間で用いられる空調装置では、ファンモーターとして、一定風量で運転を行うために、ファンモーターの回転数を検出して、指示された風量で運転するための回転数になるように調整するものが知られている（例えば、特許文献１）。
【先行技術文献】
【特許文献】
【０００３】
【特許文献１】特開平５−１４６１８９号公報
【発明の概要】
【発明が解決しようとする課題】
【０００４】
このようなファンモーターを備えた空調装置において、ファンモーターの異常発熱による発煙・焼損事故を防止するため、異物吸い込み等によるファンモーターの回転不能（回転数低下）を検出した場合に、ファンモーターへの電源供給を遮断するとともに、製品のスイッチ操作を受け付けない状態で停止し、使用者へ異常発生を報知する「モーターロックエラー処理」が行われている。
【０００５】
しかしながら、まれにファンモーターの回転数を検出する信号にノイズが乗る等により、ファンモーターが正常であるにも関わらず「回転不能」と誤検知されることがある。
このような場合に、修理を行う作業者が製品を確認しても不具合が再現されないことがあり、修理作業が無駄になったり、修理作業のあいだ空調装置を使用できなくなったりするなどの使用者にとって不利益が生じていた。
【０００６】
そこで、本発明は、前述したような従来技術の問題を解決するものであって、すなわち、本発明の目的は、モーターの回転数異常の誤検知を低減させて、正確にモーターの回転数異常を検知する空調装置を提供することにある。
【課題を解決するための手段】
【０００７】
請求項１に係る発明は、部屋の中の空気を吸い込む吸込口および前記空気を吹き出す吹出口を有する流路と、該流路中に設けられて流路中に流れを発生させるインペラおよび該インペラを駆動させるモーターを有するファンと、該ファンのモーターを制御する制御手段と、前記モーターの異常を報知する異常報知手段とを備えて、前記部屋の中を空調する空調装置であって、前記制御手段は、前記モーターの回転数が異常判定回転数以下であると前記モーターを停止させるモーター異常判定処理と、該モーター異常判定処理後に再度前記モーターを駆動させるリトライ処理と、該リトライ処理後に再度前記モーターの回転数が前記異常判定回転数以下であると前記モーターの異常を確定して前記モーターを停止させると共に前記異常報知手段により異常報知を行うモーター異常確定処理とを実行し、前記リトライ処理時において、前記制御手段が前記モーターの回転数を前記空調装置の起動時の前記モーターの回転数より下げるモーター回転数減少処理を実行することにより、前述した課題を解決するものである。
このように構成された請求項１に係る発明の空調装置によれば、制御手段は、モーターの回転数が異常判定回転数以下であるとモーターを停止させるモーター異常判定処理と、このモーター異常判定処理後に再度モーターを駆動させるリトライ処理と、このリトライ処理後に再度モーターの回転数が異常判定回転数以下であるとモーターの異常を確定してモーターを停止させると共に異常報知手段により異常報知を行うモーター異常確定処理とを実行することにより、１回の異常判定でモーターの異常判定を行う空調装置に比べて、偶発的な要因によるモーターの回転数異常の誤検知が低減されるため、正確にモーターの回転数異常を検知することができる。また、リトライ処理時において、制御手段がモーターの回転数を空調装置の起動時のモーターの回転数より下げるモーター回転数減少処理を実行することにより、モーターに異常が起こっていた際のモーターにかかる負荷が軽減されるため、モーターの損壊を抑制することができる。
なお、ここでいう「偶発的な要因」とは、モーターの回転数を検出する信号にノイズが乗るなどの、不確定な要因のことである。
【０００８】
請求項２に係る発明は、部屋の中の空気を吸い込む吸込口および前記空気を吹き出す吹出口を有する流路と、前記流路中に設けられて前記流路中に流れを発生させるインペラおよび該インペラを駆動させるモーターを有するファンと、該ファンのモーターを制御する制御手段と、前記モーターの異常を報知する異常報知手段とを備えて、前記部屋の中を空調する空調装置であって、前記制御手段は、前記モーターの回転数が異常判定回転数以下であると前記モーターを停止させるモーター異常判定処理と、該モーター異常判定処理後に再度前記モーターを駆動させるリトライ処理と、該リトライ処理後に再度前記モーターの回転数が前記異常判定回転数以下であると前記モーターの異常を確定して前記モーターを停止させると共に前記異常報知手段により異常報知を行うモーター異常確定処理とを実行し、前記制御手段が、前記空調装置の設置状態を判定する設置状態判定処理を備え、該設置状態判定処理中に前記モーター異常確定処理が禁止されることにより、前述した課題を解決するものである。
このように構成された請求項２に係る発明の空調装置によれば、制御手段は、モーター
の回転数が異常判定回転数以下であるとモーターを停止させるモーター異常判定処理と、
このモーター異常判定処理後に再度モーターを駆動させるリトライ処理と、このリトライ
処理後に再度モーターの回転数が異常判定回転数以下であるとモーターの異常を確定して
モーターを停止させると共に異常報知手段により異常報知を行うモーター異常確定処理と
を実行することにより、１回の異常判定でモーターの異常判定を行う空調装置に比べて、
偶発的な要因によるモーターの回転数異常の誤検知が低減されるため、正確にモーターの
回転数異常を検知することができる。加えて、設置状態判定処理中にモーター異常確定処理が禁止されることにより、空調装置の設置状態の判定がモーターの異常判定よりも優先されるため、空調装置の設置状態を正確に判定することができる。
【０００９】
請求項３に係る発明は、請求項１または請求項２に記載された空調装置の構成に加えて、さらに、前記空調装置の主電源が遮断された場合でも前記モーターの状態を保持するモーター異常状態記憶手段を備え、前記制御手段は、前記モーター異常確定処理によって前記モーターの異常が確定したことを前記モーター異常状態記憶手段に記録するモーター異常記憶処理を実行することにより、前述した課題を解決するものである。
このように構成された請求項３に係る発明の空調装置によれば、請求項１または請求項２に係る発明が奏する効果に加えて、モーター異常状態記憶手段が、空調装置の主電源が遮断された場合でもモーターの状態を保持し、制御手段は、モーター異常確定処理によってモーターの異常が確定したことをモーター異常状態記憶手段に記録するモーター異常記憶処理を実行することにより、空調装置の主電源が遮断された場合でも、モーターが異常状態と判定されたことがモーター異常状態記憶手段に記録されるため、継続的にモーター回転数異常を報知することができる。
【００１０】
請求項４に係る発明は、請求項１または請求項３に記載された空調装置の構成に加えて、前記制御手段が、前記空調装置の設置状態を判定する設置状態判定処理を備え、該設置状態判定処理中に前記モーター異常確定処理が禁止されることにより、前述した課題を解決するものである。
このように構成された請求項４に係る発明の空調装置によれば、請求項１乃至請求項３のいずれか１項に係る発明が奏する効果に加えて、設置状態判定処理中にモーター異常確定処理が禁止されることにより、空調装置の設置状態の判定がモーターの異常判定よりも優先されるため、空調装置の設置状態を正確に判定することができる。
【００１１】
請求項５に係る発明は、請求項１乃至請求項４のいずれか１項に記載された空調装置の構成に加えて、前記流路の吹出口が、前記部屋に向けて開口されていることにより、前述した課題を解決するものである。
このように構成された請求項５に係る発明の空調装置によれば、請求項１乃至請求項４のいずれか１項に係る発明が奏する効果に加えて、流路の吹出口が、部屋に向けて開口されていることにより、部屋の中の空気が吸込口から吸い込まれ、吹出口から部屋の中に吹き出されるため、部屋の中の空気を循環させることができる。
【００１２】
請求項６に係る発明は、請求項１乃至請求項５のいずれか１項に記載された空調装置の構成に加えて、前記部屋の中から吸い込まれた空気を暖める空気加熱手段をさらに備え、
前記制御手段が前記モーターの異常を判定した場合に、前記制御手段が空気加熱手段への通電を停止する空気加熱手段通電停止処理を実行することにより、前述した課題を解決するものである。
このように構成された請求項６に係る発明の空調装置によれば、請求項１乃至請求項５のいずれか１項に係る発明が奏する効果に加えて、制御手段がモーターの異常を判定した場合に、制御手段が空気加熱手段への通電を停止する空気加熱手段通電停止処理を実行することにより、モーターに異常が起こっていた際に空気加熱手段が働かないため、空気加熱手段の過熱を防ぐことができる。
【００１３】
請求項７に係る発明は、請求項１乃至請求項４のいずれか１項に記載された空調装置の構成に加えて、前記流路の吹出口が、前記部屋の外に向けて開口されていることにより、前述した課題を解決するものである。
このように構成された請求項７に係る発明の空調装置によれば、請求項１乃至請求項４のいずれか１項に係る発明が奏する効果に加えて、流路の吹出口が、部屋の外に向けて開口されていることにより、部屋の中の空気が吸込口から吸い込まれ、部屋の外に吹き出されるため、部屋の中の空気を排気され、部屋を換気することができる。
【発明の効果】
【００１４】
本発明によれば、モーターの回転数異常の誤検知を低減させて、正確にモーターの回転数異常を検知する空調装置を提供することができる。
【図面の簡単な説明】
【００１５】
【図１】本発明の第１実施形態である空調装置の設置状態を示す概略図である。
【図２】本発明の第１実施形態である空調装置の構成を示す概略図である。
【図３Ａ】本発明の第１実施形態である空調装置の動作を示すフローチャートである。
【図３Ｂ】本発明の第１実施形態である空調装置の動作を示すフローチャートであり、図３Ａの続きとなるフローチャートである。
【図４】本発明の第２実施形態である空調装置の設置状態を示す概略図である。
【図５】本発明の第２実施形態である空調装置の構成を示す概略図である。
【発明を実施するための形態】
【００１６】
以下、添付図面を参照して本発明の実施形態である空調装置について説明する。
＜１．本発明の第１実施形態である空調装置の概要＞
まず、図１および図２により、本発明の第１実施形態である空調装置１００の概要について説明する。
図１は本発明の第１実施形態である空調装置１００の設置状態を示す概略図であり、図２は本発明の第１実施形態である空調装置１００の構成を示す概略図である。
【００１７】
図１に示すように、本発明の第１実施形態である空調装置１００は、浴室（部屋）Ｂに設置されるものであり、浴室Ｂの天井面に固定されている。
そして、空調装置１００は、浴室Ｂ内に向けて開口している吸込口１１１および浴室Ｂの外に向けて開口されている屋外吹出口（吹出口）１１２（図２参照）を備えており、これによって吸込口１１１は浴室Ｂの中の空気を吸い込み、屋外吹出口１１２はこの空気を浴室Ｂの外に吹き出すことができる。
さらに、空調装置１００は、屋内吹出口（吹出口）１１３を備えており、これによって吸込口１１１は浴室Ｂの中の空気を吸い込み、屋内吹出口１１３はこの空気を浴室Ｂ内に吹き出すこともできる。
【００１８】
図２に示すように、空調装置１００は、流路１１０を備えており、この流路１１０には前述の吸込口１１１と、屋内吹出口１１３と、屋外吹出口１１２とが形成されている。
さらに、流路１１０中には、屋内吹出口１１３および屋外吹出口１１２からの吹き出しを切り替えるダンパー１１４が設けられている。
このダンパー１１４は、後述するファン１２０よりも下流側に設けられている。
なお、空調装置１００は、屋外吹出口１１２およびダンパー１１４を有しないような、浴室Ｂ内の空気を吸い込んで浴室Ｂ内に吐き出す循環タイプのものであってもよい。
【００１９】
また、空調装置１００は、流路１１０の途中にファン１２０を備えている。
このファン１２０は、流路１１０中の空気を攪拌して流路１１０内に流れを発生させるインペラ１２１と、このインペラ１２１を駆動させるモーター１２２とを有している。
【００２０】
さらに、空調装置１００は、ファン１２０のモーター１２２を制御する制御手段１３０と、モーター１２２の異常を報知する異常報知手段１４０と、浴室Ｂの中から吸い込まれた空気を暖めるヒーター（空気加熱手段）１５０と、空調装置１００の主電源が遮断された場合でもモーター１２２の状態を保持するモーター異常状態記憶手段である不揮発性メモリ１６０と、空調装置１００の設置状態を判定する設置状態判定手段１７０とを備えている。
ヒーター１５０は、ファン１２０およびダンパー１１４よりも下流に設けられており、屋内吹出口１１３から吹き出す空気を暖める。
設置状態判定手段１７０は空調装置１００の設置状態を判定するものであり、例えば制御手段１３０がダンパー１１４を所定の位置に移動すると共にモーター１２２に対して所定の目標回転数になるような信号を与えた場合に、モーター１２２の回転数が所定範囲に収まっているかを判定するようなものである。
このような設置状態判定手段１７０の例では、２００Ｖ定格製品に１００Ｖを印加した場合や、流路１１０の途中が閉塞することにより圧力損失に異常が発生した場合には、モーターの回転数が正常な設置状態のときと比較して大きくずれることで、異常な設置状態であると判定することができる。
また、制御手段１３０は、ダンパー１１４、ファン１２０、異常報知手段１４０、ヒーター１５０、不揮発性メモリ１６０および設置状態判定手段１７０と接続しており、それぞれを制御する。
【００２１】
なお、不揮発性メモリ１６０は、空調装置１００の電源が切られてもデータが保持されるものであれば、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒy）であってもよいし、フラッシュメモリであってもよい。
また、ヒーター１５０は、ＰＴＣ（Ｐｏｓｉｔｉｖｅ  Ｔｅｍｐｅｒａｔｕｒｅ  Ｃｏｅｆｆｉｃｉｅｎｔ）ヒーターであるが、発熱体を金属のパイプに納めたシーズヒーター、発熱体を石英管に納めた石英管ヒーターや、カーボンヒーターのようなものであってもよい。
【００２２】
＜２．本発明の第１実施形態である空調装置の動作＞
次に、本発明の第１実施形態である空調装置の動作を示すフローチャートである図３Ａ、図３Ｂにより、本発明の第１実施形態である空調装置１００の動作について説明する。
【００２３】
（ステップＳ１０１）
使用者が空調装置１００の運転を開始する指令を行う。
これにより、モーター１２２の運転がＯＮとなり、ステップＳ１０２の処理に進む。
【００２４】
（ステップＳ１０２）
制御手段１３０は、不揮発性メモリ１６０に記憶されたモーター１２２の異常状態を取得し、ステップＳ１０２の処理に進む。
【００２５】
（ステップＳ１０３）
そして制御手段１３０は、前述のステップＳ１０２で取得したモーター１２２の異常状態に基づき、モーター１２２の異常が確定した状態であるかを判定する。
モーター１２２の異常が確定した状態であればステップＳ１０４の処理に進み、モーター１２２の異常が確定していない状態であればステップＳ１０５の処理に進む。
【００２６】
（ステップＳ１０４）
モーター１２２の異常が確定した状態において、制御手段１３０は、異常報知手段１４０を制御して、使用者にモーター１２２が異常であることを報知する。
そして、空調装置１００の運転が終了する。
【００２７】
（ステップＳ１０５）
制御手段１３０は、モーター１２２を運転する際の設定回転数ｒ１を第１目標回転数Ｒ１（例えば１０００ｒｐｍ）に設定し、ステップＳ１０６の処理に進む。
【００２８】
（ステップＳ１０６）
制御手段１３０は、モーター１２２の異常判定回数をカウントする異常判定カウンターｉの値を０として初期化し、ステップＳ１０７の処理に進む。
【００２９】
（ステップＳ１０７）
制御手段１３０は、ステップＳ１０５で定めた設定回転数ｒ１で回転するようにモーター１２２を駆動し、ステップＳ１０８の処理に進む。
【００３０】
（ステップＳ１０８）
制御手段１３０は、待機時間Ｔ１（例えば１．５秒）だけ待機した後、ステップＳ１０９の処理に進む。
【００３１】
（ステップＳ１０９）
制御手段１３０は、回転数異常判定時間Ｔ（例えば２秒）の間、モーター１２２の回転数ｒがつねに異常判定回転数Ｒｃ（例えば１００ｒｐｍ）以上であるかを判定する。
モーター１２２の回転数ｒが異常判定回転数Ｒｃ以上であればステップＳ１１０の処理に進み、モーター１２２の回転数ｒが異常判定回転数Ｒｃ以上なければ（すなわち、モーター１２２の回転数ｒが異常判定回転数Ｒｃ未満であれば）ステップＳ１１３の処理に進む。
【００３２】
（ステップＳ１１０）
制御手段１３０は、異常判定カウンターｉの値を０にリセットし、モーター１２２を運転する際の設定回転数ｒ１を第１目標回転数Ｒ１に改めて設定し、ステップＳ１１１の処理に進む。
【００３３】
（ステップＳ１１１）
制御手段１３０は、ヒーター１５０に通電を行い、ステップＳ１１２の処理に進む。
【００３４】
（ステップＳ１１２）
制御手段１３０は、使用者による空調装置１００の運転をＯＦＦとする指令（すなわち、モーター１２２をＯＦＦとする指令）の有無を判定する。
空調装置１００の運転をＯＦＦとする指令があった場合は空調装置１００の運転を終了し、空調装置１００の運転をＯＦＦとする指令がなかった場合はステップＳ１０９の処理に戻る。
【００３５】
（ステップＳ１１３）
制御手段１３０は、設置状態判定手段１７０により流路１１０中の圧力損失を計測しているか否かを判定する。
設置状態判定手段１７０により流路１１０中の圧力損失を計測している場合であれば、ステップＳ１１４の処理に進み、設置状態判定手段１７０により流路１１０中の圧力損失を計測している場合でなければ、ステップＳ１１７の処理に進む。
【００３６】
（ステップＳ１１４）
制御手段１３０は、異常報知手段１４０により異常を報知し、ステップＳ１１５の処理に進む。
【００３７】
（ステップＳ１１５）
制御手段１３０は、モーター１２２の運転をＯＦＦにし、ステップＳ１１６の処理に進む。
【００３８】
（ステップＳ１１６）
モーター１２２の運転が終了し、空調装置１００の運転が終了する。
【００３９】
（ステップＳ１１７）
制御手段１３０は、設置状態判定手段１７０により空調装置１００へ印加される電圧を計測しているか否かを判定する。
設置状態判定手段１７０により空調装置１００へ印加される電圧を計測している場合であれば、ステップＳ１１４の処理に進み、設置状態判定手段１７０により空調装置１００へ印加される電圧を計測している場合でなければ、ステップＳ１１８の処理に進む。
【００４０】
（ステップＳ１１８）
制御手段１３０は、異常判定カウンターｉがモーター異常判定値Ｃ（例えば２）と等しいか否かを判定する。
異常判定カウンターｉがモーター異常判定値Ｃと等しい場合はステップＳ１１９の処理に進み、異常判定カウンターｉがモーター異常判定値Ｃと等しくない場合はステップＳ１２０の処理に進む。
【００４１】
（ステップＳ１１９）
制御手段１３０は、モーター１２２の状態が異常状態であると確定された状態であることを不揮発性メモリ１６０に記録し、ステップＳ１１４の処理に進む。
【００４２】
（ステップＳ１２０）
制御手段１３０は、ヒーター１５０への通電をＯＦＦにし、ステップＳ１２１の処理に進む。
【００４３】
（ステップＳ１２１）
制御手段１３０は、異常判定カウンターｉにｉ＋１の値を代入し、ステップＳ１２２の処理に進む。
【００４４】
（ステップＳ１２２）
制御手段１３０は、モーター１２２の運転をＯＦＦにする処理を行い、ステップＳ１２３の処理に進む。
【００４５】
（ステップＳ１２３）
制御手段１３０は、リトライ待機時間Ｔ２（例えば５秒）だけ待機した後、ステップＳ１２４の処理に進む。
【００４６】
（ステップＳ１２４）
制御手段１３０は、モーター１２２を運転する際の設定回転数ｒ１を第２目標回転数Ｒ２（例えば５００ｒｐｍ）を設定し、ステップＳ１０７の処理に戻る。
なお、第２目標回転数Ｒ２は第１目標回転数Ｒ１よりも低速である。
【００４７】
以上述べたステップにより、本発明の第１実施形態である空調装置１００は動作する。
このフローチャートにより、制御手段１３０は、モーター１２２の回転数ｒが異常判定回転数Ｒｃ以下であるとモーター１２２を停止させるモーター異常判定処理を行う（ステップＳ１０９⇒ステップＳ１１８⇒ステップＳ１２２）。
また、制御手段１３０は、モーター異常判定処理後に再度モーター１２２を駆動させるリトライ処理（ステップＳ１２３⇒ステップＳ１０７）を行う。
また、制御手段１３０は、リトライ処理後に再度モーター１２２の回転数ｒが異常判定回転数Ｒｃ以下であるとモーター１２２の異常を確定して１２２モーターを停止させると共に異常報知手段１４０により異常報知を行うモーター異常確定処理（ｉ＝２において、ステップＳ１０９⇒ステップＳ１１８⇒ステップＳ１１４⇒ステップＳ１１５）を行う。
【００４８】
さらに、制御手段１３０は、前述のリトライ処理時において、モーター１２２の回転数ｒを空調装置１００の起動時のモーター１２２の回転数（第１目標回転数Ｒ１）より下げるモーター回転数減少処理（ステップＳ１２４）を行う。
【００４９】
さらに、制御手段１３０は、前述のモーター異常確定処理によってモーター１２２の異常が確定したことを不揮発性メモリ１６０に記録するモーター異常記憶処理（ステップＳ１１９）を行う
【００５０】
さらに、制御手段１３０は、空調装置１００の設置状態を判定する設置状態判定処理（ステップＳ１１３、ステップＳ１１７）を行う。
なお、この設置状態判定処理中は、前述したモーター異常確定処理が行われない。
すなわち、設置状態判定処理中は、モーター異常確定処理が禁止される。
【００５１】
さらに、制御手段１３０は、モーター１２２の異常を判定した場合に、ヒーター１５０への通電を停止する空気加熱手段通電停止処理（ステップＳ１２０）を行う。
【００５２】
＜４．本発明の第１実施形態である空調装置の作用効果＞
このようにして得られた本発明の第１実施形態である空調装置１００は、制御手段１３０は、モーター１２２の回転数ｒが異常判定回転数Ｒｃ以下であるとモーター１２２を停止させるモーター異常判定処理と、このモーター異常判定処理後に再度モーター１２２を駆動させるリトライ処理と、このリトライ処理後に再度モーター１２２の回転数ｒが異常判定回転数Ｒｃ以下であるとモーター１２２の異常を確定してモーター１２２を停止させると共に異常報知手段１４０により異常報知を行うモーター異常確定処理とを実行することにより、１回の異常判定でモーターの異常判定を行う空調装置に比べて、偶発的な要因によるモーター１２２の回転数異常の誤検知が低減されるため、正確にモーター１１の回転数異常を検知することができる。
【００５３】
また、リトライ処理時において、制御手段１３０がモーター１２２の回転数ｒを空調装置１００の起動時のモーター１２２の回転数より下げるモーター回転数減少処理を実行することにより、モーター１２２に異常が起こっていた際のモーター１２２にかかる負荷が軽減されるため、モーター１２２の損壊を抑制することができる。
【００５４】
さらに、モーター異常状態記憶手段である不揮発性メモリ１６０が、空調装置１００の主電源が遮断された場合でもモーター１２２の状態を保持し、制御手段１３０は、モーター異常確定処理によってモーター１２２の異常が確定したことを不揮発性メモリ１６０に記録するモーター異常記憶処理を実行することにより、空調装置１００の主電源が遮断された場合でも、モーター１２２が異常状態と判定されたことが不揮発性メモリ１６０に記録されるため、継続的にモーター回転数異常を報知することができる。
【００５５】
また、設置状態判定処理中にモーター異常確定処理が禁止されることにより、空調装置１００の設置状態の判定がモーター１２２の異常判定よりも優先されるため、空調装置１００の設置状態を正確に判定することができる。
【００５６】
さらに、流路１１０の屋内吹出口１１３が、浴室（部屋）Ｂに向けて開口されていることにより、浴室Ｂの中の空気が吸込口１１１から吸い込まれ、屋内吹出口１１３から浴室Ｂの中に吹き出されるため、浴室Ｂの中の空気を循環させることができる。
【００５７】
また、制御手段１３０がモーター１２２の異常を判定した場合に、制御手段１３０が空気加熱手段であるヒーター１５０への通電を停止する空気加熱手段通電停止処理を実行することにより、モーター１２２に異常が起こっていた際にヒーター１５０が働かないため、ヒーター１５０の過熱を防ぐことができる。
【００５８】
さらに、流路１１０の屋外吹出口１１２が、浴室（部屋）Ｂの外に向けて開口されていることにより、浴室Ｂの中の空気が吸込口１１１から吸い込まれ、浴室Ｂの外に吹き出されるため、浴室Ｂの中の空気を排気され、浴室Ｂを換気することができる。
【００５９】
＜５．第２実施形態＞
続いて、図４および図５により、本発明の第２実施形態である空調装置２００について説明する。
図４は本発明の第２実施形態である空調装置の設置状態を示す概略図であり、図５は本発明の第２実施形態である空調装置の構成を示す概略図である。
【００６０】
第２実施形態の空調装置２００は、第１実施形態の空調装置１００から屋内吹出口１１３、ダンパー１１４およびヒーター１５０を取り除いたものであり、多くの要素について第１実施形態の空調装置１００と共通するので、共通する事項については、詳しい説明を省略し、下２桁が共通する２００番台の符号を付すのみとする。
【００６１】
空調装置２００は浴室Ｂに設けられ、浴室Ｂの天井に吸込口２１１が形成され、浴室Ｂの外に屋外吹出口２１２が形成されている。
これにより、浴室Ｂ内の空気が吸込口２１１より吸い込まれ、この空気が浴室Ｂの外に吹き出されるので、浴室Ｂ内を換気することができる。
なお、空調装置２００は、浴室Ｂに限らず、トイレのような換気を必要とするサニタリー空間に設置される。
【００６２】
＜６．本発明の第２実施形態である空調装置の作用効果＞
このようにして得られた本発明の第２実施形態である空調装置２００は、制御手段２３０は、モーター２２２の回転数ｒが異常判定回転数Ｒｃ以下であるとモーター２２２を停止させるモーター異常判定処理と、このモーター異常判定処理後に再度モーター２２２を駆動させるリトライ処理と、このリトライ処理後に再度モーター２２２の回転数ｒが異常判定回転数Ｒｃ以下であるとモーター２２２の異常を確定してモーター２２２を停止させると共に異常報知手段２４０により異常報知を行うモーター異常確定処理とを実行することにより、１回の異常判定でモーターの異常判定を行う空調装置に比べて、偶発的な要因によるモーター２２２の回転数異常の誤検知が低減されるため、正確にモーター２２２の回転数異常を検知することができる。
【００６３】
また、リトライ処理時において、制御手段２３０がモーター２２２の回転数ｒを空調装置２００の起動時のモーター２２２の回転数より下げるモーター回転数減少処理を実行することにより、モーター２２２に異常が起こっていた際のモーター２２２にかかる負荷が軽減されるため、モーター２２２の損壊を抑制することができる。
【００６４】
さらに、モーター異常状態記憶手段である不揮発性メモリ２６０が、空調装置２００の主電源が遮断された場合でもモーター２２２の状態を保持し、制御手段２３０は、モーター異常確定処理によってモーター２２２の異常が確定したことを不揮発性メモリ２６０に記録するモーター異常記憶処理を実行することにより、空調装置２００の主電源が遮断された場合でも、モーター２２２が異常状態と判定されたことが不揮発性メモリ２６０に記録されるため、継続的にモーター回転数異常を報知することができる。
【００６５】
また、設置状態判定処理中にモーター異常確定処理が禁止されることにより、空調装置２００の設置状態の判定がモーター２２２の異常判定よりも優先されるため、空調装置２００の設置状態を正確に判定することができる。
【００６６】
さらに、流路２１０の屋外吹出口２１２が、浴室（部屋）Ｂの外に向けて開口されていることにより、浴室Ｂの中の空気が吸込口２１１から吸い込まれ、浴室Ｂの外に吹き出されるため、浴室Ｂの中の空気を排気され、浴室Ｂを換気することができる。
【００６７】
＜７．変形例＞
以上、本発明を実施するための形態について説明したが、本発明は上記に限定されるものではない。
【００６８】
例えば、異常報知手段は、音で使用者に異常状態を知らせる警報機のようなものであってもよいし、画像等の視覚情報で使用者に異常状態を知らせるようなものであってもよい。
【００６９】
また、本発明の各実施形態においては、モーターの異常を確定したときに、モーター異常状態記憶手段に記録するモーター異常記憶処理を実行するとしたが、モーター異常記憶処理を行わないこともありうる。
しかしながら、このような使用をすると、モーターの異常が疑われる状態でモーターへ電源供給することになり、異常発熱のリスクとなるため、避けることが望ましい。
【００７０】
また、一般に浴室の天井等に組み込み設置される装置には単独の電源スイッチがないことも多く、装置の電源をＯＦＦするにはブレーカーを切ることが必要となり、装置の電源をＯＦＦすることによる制御手段のリセットは実施しにくい。
このような場合、装置操作用のリモコンの操作において、複数のボタンを同時に押す、または所定のボタンを所定時間以上連続して押す、などの操作により、制御手段をリセット可能としてもよい。
【００７１】
また、本発明に類する装置においては、使用者に対してメンテナンス時期を報知する機能を設けることが多く、そのために制御手段に計時機能もたせて、累積通電時間情報を保持することが行われることもある。
しかし、モーターの異常時に電源をＯＦＦにしてしまうと、制御手段がリセットされ、累積通電時間情報が失われてしまうことがある。
このような事態を回避する方法として、リモコンにも時間情報を保持させる手段を持たせ、所定のタイミングで本体と同期させた時計情報をリモコン側に上書きするとともに、エラー発生後にリモコン操作によって本体がリセットされたときは、リモコンの時計情報を本体の時計情報へ上書きすることも可能である。
【００７２】
また、前述した実施形態が備える各要素は技術的に可能である限り組み合わせることができ、これらを組み合わせたものも本発明の特徴を含む限り本発明の範囲に包含される。
【符号の説明】
【００７３】
１００、  ２００    ・・・  空調装置
１１０、  ２１０    ・・・  流路
１１１、  ２１１    ・・・  吸込口
１１２、  ２１２    ・・・  屋外吹出口（吹出口）
１１３              ・・・  屋内吹出口（吹出口）
１１４              ・・・  ダンパー
１２０、  ２２０    ・・・  ファン
１２１、  ２２１    ・・・  インペラ
１２２、  ２２２    ・・・  モーター
１３０、  ２３０    ・・・  制御手段
１４０、  ２４０    ・・・  異常報知手段
１５０              ・・・  ヒーター（空気加熱手段）
１６０、  ２６０    ・・・  不揮発性メモリ（モーター異常記憶手段）
１７０、  ２７０    ・・・  設置状態判定手段
Ｂ                ・・・  浴室（部屋）
ｉ                ・・・  異常判定カウンター
ｒ                ・・・  回転数
ｒ１              ・・・  設定回転数
Ｔ                ・・・  回転数異常判定時間
Ｔ１              ・・・  待機時間
Ｔ２              ・・・  リトライ待機時間
Ｒｃ              ・・・  異常判定回転数
Ｒ１              ・・・  第１目標回転数
Ｒ２              ・・・  第２目標回転数
【図１】
0006312047.tif 000002
【図２】
0006312047.tif 000003
【図３Ａ】
0006312047.tif 000004
【図３Ｂ】
0006312047.tif 000005
【図４】
0006312047.tif 000006
【図５】
0006312047.tif 000007